(57)【特許請求の範囲】
【請求項１】
表示面に画像を表示する表示手段と、
前記表示面の寸法を示すデータと、他の表示装置が有する表示面の寸法を示すデータとを取得する第１取得手段と、
自装置及び前記他の表示装置を並べることにより複数の前記表示面の全体で形成される領域に所定の形の定形画像を表示させた場合に、当該領域のうち当該定形画像を表示している部分の当該領域に対する大きさの割合である領域割合と、前記領域のうち前記定形画像を表示している部分の当該定形画像に対する大きさの割合である画像割合とを、第１取得手段が取得したデータにより示される寸法及び前記定形画像の寸法を用いて、自装置及び前記他の表示装置の複数の並べ方についてそれぞれ算出する算出手段と、
前記複数の並べ方のうち、前記定形画像によってユーザに伝えられる情報量が所定の条件を満たすいずれかの並べ方を、前記算出手段が算出した前記領域割合及び前記画像割合に基づいて特定する特定手段と、
前記特定手段が特定した並べ方で自装置及び前記他の表示装置を並べることで形成される前記領域に前記定形画像を表示させる場合に、当該定形画像のうち自装置が表示する部分を前記表示手段に表示させ、当該画像のうち他の表示装置が表示する部分を当該他の表示装置に表示させるための処理を行う第１表示制御手段と
を備えることを特徴とする表示装置。
【請求項２】
前記特定手段は、前記複数の並べ方のうち、前記画像割合が１である場合における前記領域割合の最大値が最も大きくなるのものから数えて決められた順番までに含まれるいずれかの並べ方を、前記所定の条件を満たす並べ方として特定する
ことを特徴とする請求項１に記載の表示装置。
【請求項３】
前記表示面は、枠に囲まれており、
自装置の前記枠の寸法を示すデータと、他の表示装置の前記枠の寸法を示すデータとを取得する第２取得手段とを備え、
前記特定手段は、前記画像割合が１である場合における前記領域割合の最大値が等しくなる並べ方が複数通りあった場合に、前記第２取得手段が取得したデータにより示される枠の寸法を用いて、前記表示面の間にある前記枠の寸法が小さい方の並べ方を、前記所定の条件を満たす並べ方として特定する
ことを特徴とする請求項２に記載の表示装置。
【請求項４】
前記特定手段は、前記複数の並べ方のうち、前記領域割合が１である場合における前記画像割合の最大値が最も大きくなるものから数えて決められた順番までに含まれるいずれかの並べ方を、前記所定の条件を満たす並べ方として特定する
ことを特徴とする請求項１に記載の表示装置。
【請求項５】
前記表示面は、枠に囲まれており、
自装置の前記枠の寸法を示すデータと、他の表示装置の前記枠の寸法を示すデータとを取得する第２取得手段とを備え、
前記特定手段は、前記領域割合が１である場合における前記画像割合の最大値が等しくなる並べ方が複数通りあった場合に、前記第２取得手段が取得したデータにより示される枠の寸法を用いて、前記表示面の間にある前記枠の寸法が小さい方の並べ方を、前記所定の条件を満たす並べ方として特定する
ことを特徴とする請求項４に記載の表示装置。
【請求項６】
前記特定手段は、前記複数の並べ方のうち、前記領域割合が１である場合における前記画像割合の最大値と、前記画像割合が１である場合における前記領域割合の最大値とを乗算した値が最も大きくなるものから数えて決められた順番までに含まれるいずれかの並べ方を、前記所定の条件を満たす並べ方として特定する
ことを特徴とする請求項１に記載の表示装置。
【請求項７】
前記定形画像の形は、当該定形画像によって表されるコンテンツの種類によって決まっており、
前記定形画像によって表わされるコンテンツの種類を判定する判定手段を備え、
前記算出手段は、前記判定手段により判定された種類に応じた形の前記定形画像を前記領域に表示させた場合における前記領域割合及び前記画像割合を算出し、
前記特定手段は、当該算出手段により算出された前記領域割合及び前記画像割合に基づいて前記並べ方を特定する
ことを特徴とする請求項１乃至６のいずれか１項に記載の表示装置。
【請求項８】
前記特定手段により特定された並べ方を示す画像を前記表示手段または前記他の表示装置に表示させる第２表示制御手段を備える
ことを特徴とする請求項１乃至７のいずれか１項に記載の表示装置。
【請求項９】
表示面に画像を表示する表示手段を備える表示装置が、当該表示面の寸法を示すデータと、他の表示装置が有する表示面の寸法を示すデータとを取得する第１取得ステップと、
前記表示装置が、自装置及び前記他の表示装置を並べることにより複数の前記表示面の全体で形成される領域に所定の形の定形画像を表示させた場合に、当該領域のうち当該定形画像を表示している部分の当該領域に対する大きさの割合である領域割合と、前記領域のうち前記定形画像を表示している部分の当該定形画像に対する大きさの割合である画像割合とを、前記第１取得ステップにおいて取得されたデータにより示される寸法及び前記定形画像の寸法を用いて、自装置及び前記他の表示装置の複数の並べ方についてそれぞれ算出する算出ステップと、
前記表示装置が、前記複数の並べ方のうち、前記定形画像によってユーザに伝えられる情報量が所定の条件を満たすいずれかの並べ方を、前記算出ステップにおいて算出された前記領域割合及び前記画像割合に基づいて特定する特定ステップと、
前記表示装置が、前記特定ステップにおいて特定された並べ方で自装置及び前記他の表示装置を並べることで形成される前記領域に前記定形画像を表示させる場合に、当該定形画像のうち自装置が表示する部分を前記表示手段に表示させ、当該画像のうち他の表示装置が表示する部分を当該他の表示装置に表示させるための処理を行う第１表示制御ステップと
を備えることを特徴とする表示方法。
【請求項１０】
表示面に画像を表示する表示手段を備えたコンピュータを、
前記表示面の寸法を示すデータと、他の表示装置が有する表示面の寸法を示すデータとを取得する取得手段と、
自装置及び前記他の表示装置を並べることにより複数の前記表示面の全体で形成される領域に所定の形の定形画像を表示させた場合に、当該領域のうち当該定形画像を表示している部分の当該領域に対する大きさの割合である領域割合と、前記領域のうち前記定形画像を表示している部分の当該定形画像に対する大きさの割合である画像割合とを、前記取得手段が取得したデータにより示される寸法及び前記定形画像の寸法を用いて、自装置及び前記他の表示装置の複数の並べ方についてそれぞれ算出する算出手段と、
前記複数の並べ方のうち、前記定形画像によってユーザに伝えられる情報量が所定の条件を満たすいずれかの並べ方を、前記算出手段が算出した前記領域割合及び前記画像割合に基づいて特定する特定手段と、
前記特定手段が特定した並べ方で自装置及び前記他の表示装置を並べることで形成される前記領域に前記定形画像を表示させる場合に、当該定形画像のうち自装置が表示する部分を前記表示手段に表示させ、当該画像のうち他の表示装置が表示する部分を当該他の表示装置に表示させるための処理を行う第１表示制御手段
として機能させるためのプログラム。
【発明の詳細な説明】
【技術分野】
【０００１】
本発明は、複数の表示装置を並べて全体で画像を表示させるための技術に関する。
【背景技術】
【０００２】
複数の表示装置を並べて、これらの表示装置が有する表示面の全体で画像を表示させる技術がある。特許文献１には、複数の携帯電話機を並べて１つの大きな画面に見立てて放送番組を表示する技術について記載されている。特許文献１に記載されている技術では、各携帯電話機の左右に磁石及び磁気センサーを搭載し、各携帯電話機を並べたときに一方の磁気センサーが他方の磁石を検知することにより、各携帯電話機がどのように配置されたかということとを判断している。
【先行技術文献】
【特許文献】
【０００３】
【特許文献１】特開２０１１−１１４３５２号公報
【発明の概要】
【発明が解決しようとする課題】
【０００４】
ところで、大きさが異なる複数の表示面を並べる場合には、その並べ方が複数通りになる。例えば、大きさがいずれも異なる４つの表示面を並べる場合であれば、これらの表示面を縦と横に２列ずつ並べたとしても、それらの４つの位置に４つの表示面を並べる組み合わせは、少なくとも４×３×２×１＝２４通りあり、それぞれの並び方で、これらの表示面の全体で形成する表示可能な領域の形状や大きさが異なることになる。
【０００５】
上記の特許文献１に記載されている技術は、複数の表示面の大きさがいずれも同じ場合しか想定していないため、大きさが異なる複数の表示面に対しての適用が難しい。より具体的には、大きさが異なる複数の表示面を並べて例えば画像全体を表示させた場合にはその画像が小さく表示されてしまい、その画像が見えにくくなってその画像がユーザに伝える情報量が少なくなったり、また、画像を大きく表示させた場合にはその画像の一部が表示面に表示されなくなって、同じくその画像がユーザに伝える情報量が少なくなったりすることになる。
そこで、本発明は、複数の表示装置の表示面の全体で形成される領域に画像を表示する場合に、表示される画像によりユーザに伝えられる情報量に注目してこれらの表示装置の並べ方を特定することを目的とする。
【課題を解決するための手段】
【０００６】
上記課題を達成するために、本発明は、表示面に画像を表示する表示手段と、前記表示面の寸法を示すデータと、他の表示装置が有する表示面の寸法を示すデータとを取得する第１取得手段と、自装置及び前記他の表示装置を並べることにより複数の前記表示面の全体で形成される領域に所定の形の定形画像を表示させた場合に、当該領域のうち当該定形画像を表示している部分の当該領域に対する大きさの割合である領域割合と、前記領域のうち前記定形画像を表示している部分の当該定形画像に対する大きさの割合である画像割合とを、第１取得手段が取得したデータにより示される寸法及び前記定形画像の寸法を用いて、自装置及び前記他の表示装置の複数の並べ方についてそれぞれ算出する算出手段と、前記複数の並べ方のうち、前記定形画像によってユーザに伝えられる情報量が所定の条件を満たすいずれかの並べ方を、前記算出手段が算出した前記領域割合及び前記画像割合に基づいて特定する特定手段と、前記特定手段が特定した並べ方で自装置及び前記他の表示装置を並べることで形成される前記領域に前記定形画像を表示させる場合に、当該定形画像のうち自装置が表示する部分を前記表示手段に表示させ、当該画像のうち他の表示装置が表示する部分を当該他の表示装置に表示させるための処理を行う第１表示制御手段とを備えることを特徴とする表示装置を提供する。
【０００７】
また、前記特定手段は、前記複数の並べ方のうち、前記画像割合が１である場合における前記領域割合の最大値が最も大きくなるのものから数えて決められた順番までに含まれるいずれかの並べ方を、前記所定の条件を満たす並べ方として特定してもよい。
さらに、前記表示面は、枠に囲まれており、自装置の前記枠の寸法を示すデータと、他の表示装置の前記枠の寸法を示すデータとを取得する第２取得手段とを備え、前記特定手段は、前記画像割合が１である場合における前記領域割合の最大値が等しくなる並べ方が複数通りあった場合に、前記第２取得手段が取得したデータにより示される枠の寸法を用いて、前記表示面の間にある前記枠の寸法が小さい方の並べ方を、前記所定の条件を満たす並べ方として特定してもよい。
【０００８】
また、前記特定手段は、前記複数の並べ方のうち、前記領域割合が１である場合における前記画像割合の最大値が最も大きくなるものから数えて決められた順番までに含まれるいずれかの並べ方を、前記所定の条件を満たす並べ方として特定してもよい。
さらに、前記表示面は、枠に囲まれており、自装置の前記枠の寸法を示すデータと、他の表示装置の前記枠の寸法を示すデータとを取得する第２取得手段とを備え、前記特定手段は、前記領域割合が１である場合における前記画像割合の最大値が等しくなる並べ方が複数通りあった場合に、前記第２取得手段が取得したデータにより示される枠の寸法を用いて、前記表示面の間にある前記枠の寸法が小さい方の並べ方を、前記所定の条件を満たす並べ方として特定してもよい。
【０００９】
また、前記特定手段は、前記複数の並べ方のうち、前記領域割合が１である場合における前記画像割合の最大値と、前記画像割合が１である場合における前記領域割合の最大値とを乗算した値が最も大きくなるものから数えて決められた順番までに含まれるいずれかの並べ方を、前記所定の条件を満たす並べ方として特定してもよい。
さらに、前記定形画像の形は、当該定形画像によって表されるコンテンツの種類によって決まっており、前記定形画像によって表わされるコンテンツの種類を判定する判定手段を備え、前記算出手段は、前記判定手段により判定された種類に応じた形の前記定形画像を前記領域に表示させた場合における前記領域割合及び前記画像割合を算出し、前記特定手段は、当該算出手段により算出された前記領域割合及び前記画像割合に基づいて前記並べ方を特定してもよい。
さらに、前記特定手段により特定された並べ方を示す画像を前記表示手段または前記他の表示装置に表示させる第２表示制御手段を備えていてもよい。
【００１０】
また、本発明は、表示面に画像を表示する表示手段を備える表示装置が、当該表示面の寸法を示すデータと、他の表示装置が有する表示面の寸法を示すデータとを取得する第１取得ステップと、前記表示装置が、自装置及び前記他の表示装置を並べることにより複数の前記表示面の全体で形成される領域に所定の形の定形画像を表示させた場合に、当該領域のうち当該定形画像を表示している部分の当該領域に対する大きさの割合である領域割合と、前記領域のうち前記定形画像を表示している部分の当該定形画像に対する大きさの割合である画像割合とを、前記第１取得ステップにおいて取得されたデータにより示される寸法及び前記定形画像の寸法を用いて、自装置及び前記他の表示装置の複数の並べ方についてそれぞれ算出する算出ステップと、前記表示装置が、前記複数の並べ方のうち、前記定形画像によってユーザに伝えられる情報量が所定の条件を満たすいずれかの並べ方を、前記算出ステップにおいて算出された前記領域割合及び前記画像割合に基づいて特定する特定ステップと、前記表示装置が、前記特定ステップにおいて特定された並べ方で自装置及び前記他の表示装置を並べることで形成される前記領域に前記定形画像を表示させる場合に、当該定形画像のうち自装置が表示する部分を前記表示手段に表示させ、当該画像のうち他の表示装置が表示する部分を当該他の表示装置に表示させるための処理を行う第１表示制御ステップとを備えることを特徴とする表示方法を提供する。
【００１１】
また、本発明は、表示面に画像を表示する表示手段を備えたコンピュータを、前記表示面の寸法を示すデータと、他の表示装置が有する表示面の寸法を示すデータとを取得する取得手段と、自装置及び前記他の表示装置を並べることにより複数の前記表示面の全体で形成される領域に所定の形の定形画像を表示させた場合に、当該領域のうち当該定形画像を表示している部分の当該領域に対する大きさの割合である領域割合と、前記領域のうち前記定形画像を表示している部分の当該定形画像に対する大きさの割合である画像割合とを、前記取得手段が取得したデータにより示される寸法及び前記定形画像の寸法を用いて、自装置及び前記他の表示装置の複数の並べ方についてそれぞれ算出する算出手段と、前記複数の並べ方のうち、前記定形画像によってユーザに伝えられる情報量が所定の条件を満たすいずれかの並べ方を、前記算出手段が算出した前記領域割合及び前記画像割合に基づいて特定する特定手段と、前記特定手段が特定した並べ方で自装置及び前記他の表示装置を並べることで形成される前記領域に前記定形画像を表示させる場合に、当該定形画像のうち自装置が表示する部分を前記表示手段に表示させ、当該画像のうち他の表示装置が表示する部分を当該他の表示装置に表示させるための処理を行う第１表示制御手段として機能させるためのプログラムを提供する。
【発明の効果】
【００１２】
本発明によれば、複数の表示装置の表示面の全体で形成される領域に画像を表示する場合に、表示される画像によりユーザに伝えられる情報量に注目してこれらの表示装置の並べ方を特定することができる。
【図面の簡単な説明】
【００１３】
【図１】第１実施形態の表示システムの構成を示すブロック図である。
【図２】各携帯端末の表示面に画像が表示されているときの外観を示す図である。
【図３】携帯端末のハードウェア構成を示す図である。
【図４】表示処理の手順を示すシーケンスチャートである。
【図５】記憶部に記憶されているテーブルの一例を示す図である。
【図６】領域割合及び画像割合を算出する処理を説明するための図である。
【図７】４つの表示面を並べる場合の並べ方を示す図である。
【図８】定形画像の面積と領域割合及び画像割合との関係を示すグラフである。
【図９】定形画像の面積を変化させたときの各割合の変化を説明するための図である。
【図１０】最大表示画像及び最小欠落画像について説明するための図である。
【図１１】携帯端末により特定された並べ方の一例を示す図である。
【図１２】携帯端末の表示面に表示される画像の一例を示す図である。
【図１３】分割画像を説明するための図である。
【図１４】分割画像をそれぞれ表示している各携帯端末を示す図である。
【図１５】携帯端末が実現する機能を示す機能ブロック図である。
【図１６】変形例の表示システムの構成を示す図である。
【図１７】仮想表示領域に表示される定形画像の一例を示す図である。
【図１８】各分割画像を表示する携帯端末の並べ方の例を示す図である。
【図１９】記憶部に記憶されているテーブルの一例を示す図である。
【発明を実施するための形態】
【００１４】
［実施形態］
以下、本発明の実施形態について図面を参照して説明する。
図１は、実施形態の表示システム１の構成を示すブロック図である。表示システム１は、携帯端末１０、２０、３０及び４０を備える。これらの携帯端末は、例えば、スマートフォンであり、それぞれ、表示面（１０１、２０１、３０１及び４０１）と、筐体（１０２、２０２、３０２及び４０２）とを有する。また、これらの携帯端末は、各々が有する表示面に画像を表示する表示装置として機能するものである。前述した表示面及び筐体は、いずれも長方形の形をしている。各表示面は、それぞれ寸法が異なっており、例えば表示面１０１は、縦方向（長方形の長辺に沿った方向）の寸法が６ｃｍ、横方向（長方形の短辺に沿った方向）が４ｃｍである。また、表示面２０１、３０１及び４０１は、それぞれ、縦方向の寸法が７ｃｍ、８ｃｍ及び９ｃｍであり、横方向の寸法が５ｃｍ、６ｃｍ及び７ｃｍである。表示システム１は、これらの携帯端末を並べることにより各表示面全体で形成される領域を１つの表示面として機能させて、各表示面には収まらない大きな画像をこの領域に表示する。以下では、この領域のことを「表示領域」という。
【００１５】
図２は、各携帯端末の表示面に画像が表示されているときの外観を示す図である。以下の図では、図中に示す矢印Ａ１が指す方を上側とし、その反対の方を下側とする。また、矢印Ａ２が指す方を右側とし、その反対の方を左側とする。また、矢印Ａ１に沿った方向を上下方向といい、矢印Ａ２に沿った方向を左右方向という。これらの携帯端末は、互いに隣り合う携帯端末とはそれぞれの筐体を接触させて並べられている。図２では、いずれの携帯端末も、各々の縦方向を上下方向に向けている。携帯端末１０の右側には携帯端末２０が並べられ、携帯端末１０の下側には携帯端末４０が並べられている。また、携帯端末２０の下側で且つ携帯端末４０の右側には携帯端末３０が並べられている。また、携帯端末１０の右下の角の位置に、携帯端末２０の左下の角と、携帯端末３０の左上の角と、携帯端末４０の右上の角とが位置するように各携帯端末が並べられている。
【００１６】
各携帯端末の表示面１０１、２０１、３０１及び４０１は、全体で表示領域５０１を形成している。表示領域５０１には、所定の形をした定形画像Ｇ１が表示されている。本実施形態では、所定の形とは、長辺と短辺の長さの比が４対３となっている長方形である。定形画像Ｇ１は、各表示面に分割されて表示されている。言い換えると、表示面１０１、２０１、３０１及び４０１には、定形画像Ｇ１を分割した画像である分割画像Ｆ１、Ｆ２、Ｆ３及びＦ４がそれぞれ表示されている。定形画像Ｇ１は、携帯端末１０が親機となり、子機である他の携帯端末に分割画像Ｆ２、Ｆ３及びＦ４を示すデータを渡すことで、これらの携帯端末により表示されている。このように、携帯端末１０は、定形画像Ｇ１を示すデータから、子機が表示する各分割画像を示すデータを生成して送信する親機としての機能を備えており、携帯端末２０、３０及び４０は、携帯端末１０から送信されてきたデータが示す分割画像を表示する子機としての機能を備えている。
【００１７】
以下、携帯端末１０のハードウェア構成を説明する。
図３は、携帯端末１０のハードウェア構成を示す図である。携帯端末１０は、制御部１１０と、記憶部１２０と、タッチスクリーン部１３０と、音声入出力部１４０と、第１通信部１５０と、第２通信部１６０と、第３通信部１７０とを備えるコンピュータである。制御部１１０は、ＣＰＵ（Central Processing Unit）等の演算装置と、ＲＯＭ（Read Only Memory）及びＲＡＭ（Random Access Memory）などの記憶装置とを備える。ＣＰＵは、ＲＡＭをワークエリアとして用いてＲＯＭや記憶部１２０に記憶されたプログラムを実行することによって、携帯端末１０の各部の動作を制御する。記憶部１２０は、例えばハードディスク等の記憶手段であり、制御部１１０が制御に用いるデータやプログラムを記憶している。また、記憶部１２０は、携帯端末１０に上述した親機としての機能を実現させるためのプログラムが記憶している。また、記憶部１２０は、自端末の製品名（説明を簡単にするため「ａａａ」とする。）を示すデータを記憶している。
【００１８】
タッチスクリーン部１３０は、画像を表示するとともにユーザの操作を受け付ける手段であり、表示部１３１とタッチセンサ１３２とを備える。表示部１３１は、例えば液晶ディスプレイであり、図１に示す表示面１０１を有する。表示部１３１は、表示面１０１に画像を表示する表示手段である。タッチセンサ１３２は、表示面１０１と大きさ及び形状が概ね同じであり、表示面１０１に重ねて設けられている。タッチセンサ１３２は、例えば、表示面を指し示す指示体との静電結合を利用してその指示体が指し示す位置を検出する静電容量方式のセンサである。タッチセンサ１３２は、検出した位置を示すデータを制御部１１０に供給する。また、表示面に操作用の画像が表示されている場合、ユーザは、その画像を指し示すことで操作を行う。この場合、タッチセンサ１３２は、検出した位置が含まれている画像に応じた操作データ、すなわち受け付けた操作に応じた操作データを制御部１１０に供給する。
【００１９】
音声入出力部１４０は、スピーカ、マイクロフォン及び音声処理回路等を有し、通話に係る音声の入出力を行う。第１通信部１５０は、アンテナ及び通信回路等を有し、図示せぬ通信網と無線通信を行う。これにより、第１通信部１５０は、前述の通信網を介して他の携帯端末と通信して音声や電子メールなどを示すデータをやり取りしたり、例えばＷｅｂサーバと通信して文字列や画像、動画などを示すデータをやり取りする。第２通信部１６０は、アンテナ及び通信回路等を有し、Bluetooth（登録商標）の規格に従って通信を行う。このBluetoothによる通信は、第２通信部１６０と通信相手との距離が或る範囲（この例では１０ｍ以内）に収まっているときに行われる。第２通信部１６０は、ユーザがタッチスクリーン部１３０で所定の操作を行うことにより、Bluetoothによる通信を行う状態と行わない状態とが切り替わるようになっている。第３通信部１７０は、本実施形態では用いられないものであるため、図３では破線で示し、後で説明するものとする。
【００２０】
携帯端末２０、３０及び４０は、上述した携帯端末１０と共通するハードウェア構成を備えるコンピュータである一方、親機としての機能を実現するためのプログラムの代わりに、子機としての機能を実現するためのプログラムを各々の記憶部に記憶している点で異なっている。また、これらの各携帯端末は、図１に示すとおり各々が備える表示面の寸法が異なっており、且つ、各々の記憶部に記憶している製品名を示すデータが異なっている。携帯端末２０、３０及び４０の製品名は、説明を簡単にするため、それぞれ、「ｂｂｂ」、「ｃｃｃ」及び「ｄｄｄ」とする。また、以下では、携帯端末２０、３０及び４０が備える各部については、上述した携帯端末１０が備える各部の符号の冒頭の「１」をそれぞれ「２」、「３」及び「４」に替えて示す。例えば、携帯端末２０は、制御部２１０を備え、携帯端末３０は、制御部３１０を備える。
【００２１】
続いて、表示システム１が前述した表示領域に画像を表示する表示処理において、各携帯端末が行う動作について説明する。
図４は、表示処理の手順の一例を示すシーケンスチャートである。この表示処理は、携帯端末１０、２０、３０及び４０が、いずれもBluetoothによる通信を行う状態になっており、且つ、互いの距離が上述した範囲（１０ｍ）に収まっている場合に行われる。この例では、携帯端末１０において、ユーザにより操作されたタッチスクリーン部１３０から、表示処理の開始を示す操作データが制御部１１０に供給されることを契機に表示処理が開始される。
【００２２】
まず、携帯端末１０は、携帯端末２０、３０及び４０に対して、各々の携帯端末の製品名を通知するように要求するデータを送信する（ステップＳ１１、Ｓ１２及びＳ１３）。携帯端末２０、３０及び４０は、携帯端末１０から送信されてきたこのデータをそれぞれ受信すると、自端末の製品名を示すデータを携帯端末１０にそれぞれ送信する（ステップＳ１４、Ｓ１５及びＳ１６）。これにより、携帯端末２０、３０及び４０は、自端末の製品名（この例では、「ｂｂｂ」、「ｃｃｃ」及び「ｄｄｄ」）を携帯端末１０にそれぞれ通知する。
【００２３】
続いて、携帯端末１０は、各携帯端末から送信されてきたデータが示す製品名に基づき、各携帯端末が備える表示面の寸法を示す寸法情報を取得する処理を行う（ステップＳ１７）。携帯端末１０は、この処理を行うにあたり、予め、各種の携帯端末の製品名と、それらの携帯端末が備える表示面の寸法とを対応付けたテーブルを、記憶部１２０に記憶させておく。
【００２４】
図５は、記憶部１２０に記憶されているテーブルの一例を示す図である。このテーブルでは、「ａａａ」、「ｂｂｂ」、「ｃｃｃ」及び「ｄｄｄ」という「製品名」と、「４×６」、「５×７」、「６×８」及び「７×９」という「表示面の寸法」とが対応付けられている。この「表示面の寸法」では、表示面の横方向の寸法と縦方向の寸法とがｃｍ（センチメートル）を単位として示されている。例えば、このテーブルでは、「製品名」が「ｂｂｂ」である携帯端末の表示面の寸法は、横方向の寸法が５ｃｍであり、縦方向の寸法が７ｃｍであることが示されている。携帯端末１０は、例えば、ステップＳ１４において送信されてきたデータが示す製品名である「ｂｂｂ」とこのテーブルにおいて対応付けられている「５×７」という表示面の寸法を、図１に示す携帯端末２０の表示面２０１の寸法を示す寸法情報として取得する。また、携帯端末１０は、同様に、携帯端末３０の表示面３０１及び携帯端末４０の表示面４０１の寸法を示す寸法情報を取得する。また、携帯端末１０は、記憶部１２０に記憶しているデータが示す自端末の製品名である「ａａａ」とこのテーブルにおいて対応付けられている「４×６」という表示面の寸法を、自端末の表示面１０１の寸法を示す寸法情報として取得する。
【００２５】
次に、携帯端末１０は、ステップＳ１７において取得した寸法情報を用いて、以下に述べる２つの割合を算出する処理を行う（ステップＳ１８）。
図６は、ステップＳ１８の処理を説明するための図である。図６（ａ）では、図２に示す表示領域５０１を、各携帯端末の筐体がないものと仮定して、各表示面（１０１、２０１、３０１及び４０１）同士がひと続きになるように並べ替えた仮想の領域である仮想表示領域５０１ｘを示している。図６（ａ）では、仮想表示領域５０１ｘの境界を実線で示し、各表示面の境界を破線で示している。
【００２６】
図６（ｂ）では、図２に示した定形画像Ｇ１と同じ形をした画像、すなわち、長辺と短辺の長さの比が４対３となっている長方形の画像である定形画像Ｇ０を示している。図６（ｂ）では、定形画像Ｇ０の長辺と短辺の長さの比を表すため、長辺の長さを「４×ｓ」、短辺の長さを「３×ｓ」と表している。定形画像Ｇ０は、携帯端末１０により仮想表示領域５０１ｘに仮想的に表示される画像である。携帯端末１０は、定形画像Ｇ０を、長辺に沿った方向を上下方向に向け、短辺に沿った方向を左右方向に向けて表示する。以下の図では、定形画像Ｇ０の末尾の番号を変えて示したもの（例えば定形画像Ｇ２など）は、いずれも定形画像Ｇ０と同じ形をした画像（すなわち定形画像Ｇ１とも同じ形をした画像）を示す。
【００２７】
図６（ｃ）では、定形画像Ｇ０が仮想表示領域５０１ｘに仮想的に表示されている状態の一例が示されている。図６（ｃ）では、定形画像Ｇのうち、仮想表示領域５０１ｘに表示されている部分と表示されていない部分の両方を示すとともに、表示されている部分をハッチングして示している。このハッチングされた部分は、仮想表示領域５０１ｘのうち定形画像Ｇが表示されている部分でもある。以下では、この部分のことを、「画像表示領域５０２ｘ」という。画像表示領域５０２ｘは、仮想表示領域５０１ｘに定形画像Ｇがどのように表示されているかによって、その面積が変化する。図６（ｄ）では、定形画像Ｇが、画像表示領域５０２ｘの面積が最大となるようにして仮想表示領域５０１ｘに表示されている状態を示している。例えばこの状態では、図６（ｃ）に示す状態よりも、画像表示領域５０２ｘの面積が大きくなる。
【００２８】
携帯端末１０は、ステップＳ１７で取得した寸法情報を用いて仮想表示領域５０１ｘの面積を算出する。また、携帯端末１０は、定形画像Ｇ０を仮想的に表示させる際に定めたその定形画像Ｇ０の寸法から定形画像Ｇ０の面積を算出する。また、携帯端末１０は、これらの寸法情報及び寸法を用いて、画像表示領域５０２ｘの面積を算出する。例えば、携帯端末１０は、例えば、図６（ｃ）に示すように定形画像Ｇ０を仮想的に表示させた場合であれば、画像表示領域５０２ｘを複数の長方形に分割し、それらの面積をそれぞれ算出して合計した値を、画像表示領域５０２ｘの面積として算出する。
【００２９】
携帯端末１０は、以上のとおり算出した仮想表示領域５０１ｘ、定形画像Ｇ１及び画像表示領域５０２ｘの面積を用いて、上述した２つの割合を算出する。具体的には、携帯端末１０は、仮想表示領域５０１ｘの面積に対する画像表示領域５０２ｘの面積の割合を、１つ目の割合として算出する。この１つ目の割合は、仮想表示領域５０１ｘのうち定形画像Ｇを表示している部分の仮想表示領域５０１ｘに対する面積の割合であり、以下では「領域割合」という。また、携帯端末１０は、定形画像Ｇの面積に対する仮想表示領域５０１ｘの面積の割合を、２つ目の割合として算出する。この２つ目の割合は、仮想表示領域５０１ｘのうち定形画像Ｇを表示している部分の定形画像Ｇに対する面積の割合であり、以下では「画像割合」という。
【００３０】
携帯端末１０は、上述した領域割合及び画像割合を、複数の並べ方において算出する。
図７は、４つの表示面を並べる場合の並べ方を示す図である。図７では、説明を簡単にするため、同じ大きさの４つの表示面を示し、各表示面の内部に、Ａ、Ｂ、Ｃ及びＤという符号をそれぞれ示した。また、図７では、各表示面を、各表示面の縦方向（長方形の長辺に沿った方向）が上下方向に向くようにして示している。
【００３１】
図７（ａ）では、４つの表示面がいずれも左右方向に隣り合うように並べられる並べ方が示されている。図７（ｂ）では、３つの表示面（Ａ、Ｂ及びＣ）がいずれも左右方向に隣り合うように並べられ、且つ、１つの表示面（Ｄ）が上下方向に隣り合うように並べられる並べ方が示されている。また、図７（ｃ）では、表示面Ａ及びＢの組が左右方向に隣り合うように並べられ、表示面Ｃ及びＤの組が左右方向に隣り合うように並べられ、さらに、これらの組同士が、上下方向に並べられる並べ方が示されている。携帯端末１０は、これらの並べ方のそれぞれについて、表示面Ａ、Ｂ、Ｃ及びＤを並べる順番と、各表示面の向き（上下方向又は左右方向）とを全通り組み合わせた並べ方で並べ、それらの複数の並び方において、領域割合及び画像割合を算出する。
【００３２】
続いて、携帯端末１０は、ステップＳ１８において算出した領域割合及び画像割合に基づいて、これらの割合を算出した複数の並べ方のうちのいずれかを特定する（ステップＳ１９）。或る並べ方においては、定形画像の面積と、仮想表示領域の形と、仮想表示領域及び定形画像の配置とに応じて、様々な値の領域割合及び画像割合が算出される。
図８は、定形画像の面積を変化させたときにおける領域割合及び画像割合の変化を説明するための図である。図８（ａ）、（ｂ）、（ｃ）及び（ｄ）では、それぞれ異なる面積の定形画像Ｇ２、Ｇ３、Ｇ４及びＧ５が、画像表示領域５０２ｘの面積が最大となるようにして、図６に示した仮想表示領域５０１ｘに表示されている状態の例が示されている。定形画像Ｇ２、Ｇ３、Ｇ４及びＧ５は、上下方向の寸法×左右方向の寸法（単位はｃｍ）が、それぞれ、１０．６×８、１２×９、１７．３×１３及び２０×１５となっている。図８（ａ）及び（ｂ）では、定形画像Ｇ２及びＧ３の全体が仮想表示領域５０１ｘに表示されている一方、仮想表示領域５０１ｘの一部には、定形画像が表示されていない。また、図８（ｃ）及び（ｄ）では、仮想表示領域５０１ｘの全体に定形画像Ｇ４及びＧ５が表示されている一方、定形画像Ｇ４及びＧ５の一部は、仮想表示領域５０１ｘに表示されていない。
【００３３】
仮想表示領域５０１ｘの面積は、図１に示す各表示面の面積の合計であるから、４×６＋５×７＋６×８＋７×９＝１７０（単位は平方ｃｍ）である。また、定形画像Ｇ２、Ｇ３、Ｇ４及びＧ５の面積は、それぞれ、１０．６×８＝８４．８、１２×９＝１０８、１７．３×１３＝２２４．９、及び２０×１５＝３００（単位は平方ｃｍ）である。従って、図８（ａ）、（ｂ）、（ｃ）及び（ｄ）における領域割合は、それぞれ、８４．８÷１７０＝０．５０、１０８÷１７０＝０．６４、１７０÷１７０＝１．００、及び１７０÷１７０＝１．００である。また、図８（ａ）、（ｂ）、（ｃ）及び（ｄ）における画像割合は、それぞれ、８４．８÷８４．８＝１．００、１０８÷１０８＝１．００、１７０÷２２４．９＝０．７６、及び１７０÷３００＝０．５７である。
【００３４】
図９は、図８の例における、定形画像の面積と、領域割合及び画像割合との関係を示すグラフである。図９（ａ）では、縦軸に領域割合、横軸に定形画像の面積が示され、図９（ｂ）では、縦軸に画像割合、横軸に定形画像の面積が示されている。図９（ａ）では、図８（ａ）、（ｂ）、（ｃ）及び（ｄ）の状態における領域割合と定形画像の面積との関係が、点Ｐ１、Ｐ２、Ｐ３及びＰ４にそれぞれ示されている。図９（ｂ）では、図８（ａ）、（ｂ）、（ｃ）及び（ｄ）の状態における画像割合と定形画像の面積との関係が、点Ｐ５、Ｐ６、Ｐ７及びＰ８にそれぞれ示されている。
【００３５】
領域割合は、定形画像の面積が点Ｐ３に示す定形画像Ｇ４の面積（つまり２２４．９）以上となっている場合には、図９（ａ）に示すように、定形画像の面積に関わらず１となる。これは、図８（ｃ）及び（ｄ）に示すように、定形画像の寸法が定形画像Ｇ４の寸法以上となっている場合（つまり面積が２２４．９以上となっている場合）、仮想表示領域５０１ｘの上下方向及び左右方向のいずれの寸法も、定形画像の同じ方向の寸法以下となるためである。この場合、仮想表示領域５０１ｘの全体が定形画像に収まることになり、定形画像の大きさに関わらず領域割合が１となる。
【００３６】
反対に、定形画像の寸法が定形画像Ｇ４の寸法よりも小さくなった場合、定形画像の左右方向の寸法が仮想表示領域５０１ｘの左右方向の寸法よりも小さくなって、仮想表示領域５０１ｘにおいて定形画像が表示されない部分が現れることになる。この場合、すなわち定形画像の面積が定形画像Ｇ４の面積（つまり２２４．９）よりも小さくなった場合、領域割合が１よりも小さくなる。
また、定形画像の寸法が定形画像Ｇ３の寸法よりも小さくなった場合、定形画像の全体が仮想表示領域５０１ｘに表示されることになる。この場合、すなわち定形画像の面積が定形画像Ｇ３の面積（つまり１０８）よりも小さくなった場合、画像表示領域５０２ｘの面積と定形画像の面積とが等しくなるため、定形画像の面積に比例して領域割合が小さくなっていくことになる。
【００３７】
画像割合は、定形画像の面積が点Ｐ６に示す定形画像Ｇ３の面積（つまり１０８）以下となっている場合には、図９（ｂ）に示すように、定形画像の面積に関わらず１となる。これは、図８（ａ）及び（ｂ）に示すように、定形画像の寸法が定形画像Ｇ３の寸法以下となっている場合（つまり面積が１０８以下となっている場合）、定形画像の上下方向及び左右方向のいずれの寸法も、仮想表示領域５０１ｘに収まるようになっているためである。
反対に、定形画像の寸法が定形画像Ｇ３の寸法よりも大きくなった場合、定形画像の左右方向の寸法が仮想表示領域５０１ｘに収まらなくなって、定形画像の一部が仮想表示領域５０１ｘに表示されないようになる。この場合、すなわち定形画像の面積が定形画像Ｇ３の面積（つまり１０８）よりも大きくなった場合、画像割合が１よりも小さくなる。
【００３８】
携帯端末１０は、ステップＳ１８において、図６（ａ）に示した並べ方で各表示面を並べて仮想表示領域５０１ｘを形成させ、画像割合が１である場合における領域割合の最大値（以下「最大領域割合」という。）を抽出し、領域割合が１である場合における画像割合の最大値（以下「最大画像割合」という。）を抽出する。つまり、図９に示した例であれば、携帯端末１０は、図９（ａ）に示す点Ｐ２における領域割合（つまり０．６４）と、図９（ｂ）に示す点Ｐ７における画像割合（つまり０．７６）とを抽出する。そして、携帯端末１０は、この並べ方を示す情報と、抽出した領域割合及び画像割合とを対応付けたデータを、記憶部１２０（ＲＡＭでもよい）に記憶させる。この並べ方を示す情報とは、例えば、「並べ方００１」や「並べ方００２」など、「並べ方」という文字列と、並べ方毎に定めた番号とを合わせた情報である。
【００３９】
以上の抽出を行うことにより、図６（ａ）に示した並べ方において、仮想表示領域５０１ｘに全体が表示される定形画像のうち面積が最大となるもの（以下「最大表示画像」という。）が表示されている場合の領域割合が抽出されることになる。この並べ方では、定形画像Ｇ３が最大表示画像である。また、この並べ方において、仮想表示領域５０１ｘの全体が定形画像を表示しているときに、定形画像のうち仮想表示領域５０１ｘに表示されていない部分（言い換えれば、欠落している部分）の面積が最小となるもの（以下「最小欠落画像」という。）が表示されている場合の画像割合が抽出されることになる。この並べ方では、定形画像Ｇ４が最小欠落画像である。以上を言い換えると、最大表示画像とは、画像割合が１である場合において領域割合が最大となる定形画像のことであり、最小欠落画像とは、領域割合が１である場合において画像割合が最大となる定形画像のことである。
【００４０】
図１０は、表示面１０１、２０１、３０１及び４０１を、図７（ｃ）に示す順番及び向きの組み合わせで並べる並べ方における、最大表示画像及び最小欠落画像について説明するための図である。図１０（ａ）では、表示面１０１の左側の辺と、表示面３０１の左側の辺とが同じ直線上に位置するように各表示面が並べられている。図１０（ｂ）では、表示面２０１の右側の辺と、表示面４０１の右側の辺とが同じ直線上に位置するように各表示面が並べられている。図１０（ａ）及び（ｂ）では、これらの表示面に重ねて、図７に示した定形画像Ｇ３及びＧ４の外周が二点鎖線で示されている。
【００４１】
図１０（ａ）及び（ｂ）に示されている並び方では、いずれも、定形画像Ｇ３が、上述した最大表示画像となっている。この定形画像Ｇ３は、左右方向の寸法が、表示面１０１及び２０１の左右方向の寸法の合計（つまり９ｃｍ）と一致している。言い換えれば、最大表示画像の左右方向の寸法が、表示面１０１及び２０１の左右方向の寸法の合計によって決まるようになっている。また、これらの並び方では、いずれも、定形画像Ｇ４が、上述した最小欠落画像となっている。この定形画像Ｇ４は、左右方向の寸法が、表示面３０１及び４０１の左右方向の寸法の合計（つまり１３ｃｍ）と一致している。言い換えれば、最小欠落画像の左右方向の寸法が、表示面３０１及び４０１の左右方向の寸法の合計によって決まるようになっている。図７（ｃ）に示す順番及び向きの組み合わせで各表示面を並べて、且つ、表示面１０１及び２０１の位置が図１０（ａ）に示す位置と図１０（ｂ）に示す位置との間である場合、最大表示画像及び最小欠落画像の左右方向の寸法が、前述した寸法の合計によってそれぞれ決まるという関係は変わらない。従って、この場合、最大表示画像はいずれも定形画像Ｇ３となり、最小欠落画像はいずれも定形画像Ｇ４となる。
【００４２】
図１０（ｃ）に示されている並べ方では、表示面２０１の右側の辺が、表示面４０１の右側の辺よりも右側に位置するように各表示面が並べられている。この並べ方では、最大表示画像の左右方向の寸法（図中の矢印Ｌ１が示す長さ）が、表示面１０１及び２０１の左右方向の寸法の合計よりも短くなる。このため、最大表示画像の面積が、図１０（ａ）及び（ｂ）で示したものよりも小さくなる。また、この並べ方では、最小欠落画像の左右方向の寸法（図中の矢印Ｌ２が示す長さ）が、図１０（ａ）及び（ｂ）で示したものよりも大きくなる一方、仮想表示領域の面積は変化していない。すなわち、最小欠落画像が表示されているときの画像割合が、図１０（ａ）及び（ｂ）に示す並べ方におけるものに比べて小さくなる。言い換えれば、最小欠落画像において仮想表示領域に表示されていない部分の面積が、図１０（ａ）及び（ｂ）で示したものよりも大きくなる。
【００４３】
以上のとおり、表示面１０１、２０１、３０１及び４０１を、図７（ｃ）に示す順番及び向きの組み合わせで並べる場合、最大表示画像及び最小欠落画像の面積が、各表示面をどのように配置する並べ方であっても１通りに決まる。この場合、携帯端末１０は、その１通りの最大表示画像が表示されているときの領域割合と、その１通りの最小欠落画像が表示されているときの画像割合とを抽出する。また、上記の順番及び向きの組み合わせによっては、各表示面の配置次第で最大表示画像及び最小欠落画像の面積がそれぞれ複数通り決まることがある。その場合、携帯端末１０は、それら複数通りの面積の最大表示画像がそれぞれ表示される各並べ方において、最大表示画像が表示されているときの領域割合を抽出し、それら複数通りの面積の最小欠落画像がそれぞれ表示されている各並べ方において、最小欠落画像が表示されているときの画像割合を抽出する。
【００４４】
携帯端末１０は、上記のとおり抽出した領域割合のうち最大となるものを選択し、選択した領域割合を算出する際に用いた仮想表示領域を形成する各表示面の並べ方を、１つ目の並び方として特定する。また、携帯端末１０は、同じく抽出した画像割合のうち最大となるものを選択し、選択した画像割合を算出する際に用いた仮想表示領域を形成する各表示面の並べ方を、２つ目の並び方として特定する。携帯端末１０は、領域割合または画像割合のうち最大となるものが複数ある場合、例えば、最初に算出した領域割合または画像割合を選択し、選択したそれらの割合に基づき前述の通り並べ方をそれぞれ特定する。以上のとおりステップＳ１９の処理を行うことで、携帯端末１０は、複数の並べ方のうち、画像割合が１となる場合における領域割合の最大値が最も大きくなる並べ方と、領域割合が１となる場合における画像割合の最大値が最も大きくなる並べ方とを特定することになる。
【００４５】
図１１は、ステップＳ１９において特定された並べ方の一例を示す図である。この例では、携帯端末１０は、上記２つの並べ方の両方とも、図１１に示す並び方を特定したものとする。この並び方においては、表示面１０１、２０１及び４０１が縦方向を上下方向に向け、表示面３０１が縦方向を左右方向に向けている。また、表示面１０１の右側に表示面３０１が並べられ、表示面４０１の右側に表示面２０１が並べられている。また、表示面１０１及び３０１の下側には、表示面４０１及び表示面２０１が並べられている。また、表示面１０１の左側の辺と表示面４０１の左側の辺とが、同じ直線上に位置するように各表示面が並べられている。以上のとおり並べられた各表示面によって、仮想表示領域５０１ｙが形成されている。図１１では、この並べ方における最大表示画像Ｇ６及び最小欠落画像Ｇ７を二点鎖線で示している。
【００４６】
仮想表示領域５０１ｙの面積は、仮想表示領域５０１ｘと同じ１７０平方ｃｍである。この並べ方においては、最大表示画像Ｇ６の上下方向の寸法が、表示面１０１及び２０１の上下方向の寸法の合計で６＋７＝１３ｃｍとなり、最小欠落画像Ｇ７の左右方向の寸法が、表示面４０１及び２０１の左右方向の寸法の合計で７＋５＝１２ｃｍとなる。定形画像の上下方向と左右方向の寸法の比が４対３であるから、最大表示画像Ｇ６の面積は、１３×１３÷４×３＝１２６．８であり、最小欠落画像Ｇ７の面積は、１２×１２÷３×４＝１９２である。従って、この並び方においては、上述した最大領域割合が１２６．８÷１７０＝０．７５であり、最大画像割合が１７０÷１９２＝０．８９である。これらは、いずれも、図７で示した並べ方における同様の割合（最大領域割合が０．６４、最大画像割合が０．７６）よりも大きくなっている。
【００４７】
次に、携帯端末１０は、ステップＳ１９において特定した並べ方を示す画像を、表示面１０１に表示する（ステップＳ２０）。
図１２は、ステップＳ２０において表示面１０１に表示される画像の一例を示す図である。携帯端末１０は、表示面１０１に、「並べ方」という文字列と、各表示面の大きさに応じた長方形の画像を図１１に示す並べ方で並べた画像Ｈ１を表示している。これらの長方形の画像には、それぞれ対応する表示面を有する携帯端末の製品名である「ａａａ」、「ｂｂｂ」、「ｃｃｃ」及び「ｄｄｄ」という文字列が示されている。この画像Ｈ１では、製品名を表す文字列の向きによって、各携帯端末の向きが示されるようになっている。また、携帯端末１０は、画像Ｈ１の下側に、「表示方法」という文字列と、「Ａ：全体表示」という文字列を含む画像Ｈ２と、「Ｂ：最大表示」という文字列を含む画像Ｈ３とを表示している。
【００４８】
携帯端末１０は、ユーザの操作により画像Ｈ２及びＨ３のいずれかが選択されると、その画像が示す並べ方で定形画像を表示することを決定する（ステップＳ２１）。携帯端末１０は、画像Ｈ２が選択された場合、ステップＳ１９において特定した並べ方における最大表示画像Ｇ６と同じ形及び面積の定形画像を表示する。この定形画像は、携帯端末が表示面に表示する画像であれば何でもよく、例えば、写真や動画、インターネットのサイトの画像などである。この例では、携帯端末１０は、定形画像を、図１１に示す最大表示画像Ｇ６が示されている位置に表示することを決定する。また、携帯端末１０は、画像Ｈ３が選択された場合、特定した並べ方における最小欠落画像Ｇ７と同じ形及び面積の定形画像を表示する。この例では、携帯端末１０は、その定形画像を、図１１に示す最小欠落画像Ｇ７が示されている位置に表示することを決定する。
【００４９】
そして、携帯端末１０は、定形画像を示すデータに基づき、定形画像を分割した分割画像を示すデータ（分割画像データという。）をそれぞれ生成する（ステップＳ２２）。
図１３は、分割画像を説明するための図である。図１３（ａ）では、最大表示画像Ｇ６と同じ形及び面積の定形画像Ｇ１６が、図１１に示す仮想表示領域５０１ｙに表示されている状態が示されている。定形画像Ｇ１６のうち、各表示面１０１、２０１、３０１及び４０１に表示されている部分の画像が、それぞれ、分割画像Ｆ１、Ｆ６２、Ｆ６３及びＦ６４である。この図では、これらの分割画像を分かりやすくするため、ハッチングをして示している。図１３（ｂ）では、最小欠落画像Ｇ７と同じ形及び面積の定形画像Ｇ１７が、仮想表示領域５０１ｙに表示されている状態が示されている。定形画像Ｇ１７のうち、各表示面１０１、２０１、３０１及び４０１に表示されている部分の画像が、それぞれ、分割画像Ｆ７１、Ｆ７２、Ｆ７３及びＦ７４である。
【００５０】
次に、携帯端末１０は、ステップＳ２２において生成した分割画像データを、各分割画像データが示す分割画像を表示する携帯端末に対してそれぞれ送信する（ステップＳ２３、Ｓ２４及びＳ２５）。続いて、携帯端末１０は、自装置が表示する分割画像（この場合分割画像Ｆ６１）を示す分割画像データに基づき、表示面１０１にその分割画像Ｆ６１を表示する（ステップＳ２６）。携帯端末２０、３０及び４０は、自装置に送信されてきた分割画像データを受信すると、そのデータが示す分割画像をそれぞれ表示する（ステップＳ２７、Ｓ２８及びＳ２９）。
【００５１】
図１４は、分割画像をそれぞれ表示している各携帯端末を示す図である。図１４では、携帯端末１０、２０、３０及び４０が、各表示面が図１１に示す配置となるようにし、且つ、隣り合う携帯端末と互いの筐体が接するようにして、並べられている。これらの表示面１０１、２０１、３０１及び４０１は、全体で上述した表示領域５０１を形成している。図１４（ａ）では、携帯端末１０、２０、３０及び４０は、分割画像Ｆ６１、Ｆ６２、Ｆ６３及びＦ６４を各々の表示面に表示している。また、図１４（ｂ）では、携帯端末１０、２０、３０及び４０は、分割画像Ｆ７１、Ｆ７２、Ｆ７３及びＦ７４を各々の表示面に表示している。このようにして、これらの携帯端末は、各々が有する表示面の全体（つまり表示領域５０１）で、図１３に示す定形画像Ｇ１６または定形画像Ｇ１７、すなわち１つの画像を表示することになる。
【００５２】
以上のとおり、携帯端末１０が図４に示す各処理を行うことで、複数の携帯端末においてそれぞれが有する表示面の寸法が互いに異なる場合であっても、図１４に示すように、それらの携帯端末を並べた状態で各表示面を１つの表示面として、個々の表示面では表示できないような大きな画像（例えば定形画像Ｇ１６及びＧ１７）を表示させることができるようになる。
【００５３】
このようにして表示させる画像は、その寸法が大きいほど、その画像からユーザに伝えられる情報量が多くなる。例えば、その画像に或る文章が表されている場合、画像が小さくなると、その文章に含まれる文字の文字サイズが小さくなって見えにくくなり、ユーザに伝えられる情報量が少なくなる。反対に、画像を大きくすると、見えにくかった文字の文字サイズが大きくなって見えやすくなり、ユーザに伝えられる情報量が多くなる。また、その画像が或る人物の写真を表している場合も、画像が小さくなると、その人物が誰なのか、どのような服装なのかといったことが分かりにくくなり、ユーザに伝えられる情報量が少なくなる。反対に、画像が大きくなると、それらのことが分かりやすくなり、ユーザに伝えられる情報量が多くなる。
【００５４】
ステップＳ２１において、図１２に示す画像Ｈ２（「Ａ：全体表示」と示されたもの）が選択された場合、図１４（ａ）に示すように、定形画像Ｇ１６の全体が表示領域５０１に表示されることになる。このため、表示システム１においては、定形画像Ｇ１６の情報を欠落させることなく、且つ、表示領域５０１に全体を表示可能な定形画像のうち最大のものを表示させることができる。言い換えれば、そのような表示をさせることが可能な各携帯端末の並び方を特定することができる。これにより、表示システム１においては、上記のように並べ方を特定しない場合に比べて、定形画像によりユーザに伝えられる情報量を多くすることができる。
【００５５】
ステップＳ２１において、図１２に示す画像Ｈ３（「Ｂ：最大表示」と示されたもの）が選択された場合、図１４（ｂ）に示すように、表示領域５０１の全体に定形画像Ｇ１７が表示されることになる。このため、表示システム１においては、表示領域５０１に定形画像を表示しない部分がある場合に比べて定形画像Ｇ１７の寸法を大きくしつつ、定形画像Ｇ１７のうち表示されない部分の面積を最小にすることで、定形画像Ｇ１７によりユーザに伝えられる情報量を多くすることができる。以上のとおり、表示システム１においては、仮想表示領域５０１ｘに定形画像Ｇ１６及びＧ１７のような画像を表示する場合に、表示される画像によりユーザに伝えられる情報量に注目してこれらの携帯端末の並べ方を特定することができる。
【００５６】
携帯端末１０は、制御部１１０がプログラムを実行して各部を制御することで、以下に示す機能を実現する。
図１５は、携帯端末１０が実現する機能を示す機能ブロック図である。携帯端末１０は、第１取得部１０１と、算出部１０２と、特定部１０３と、第１表示制御部１０４と、第２表示制御部１０５と、第２取得部１０６と、検知部１０７と、判定部１０８とを備える。第１取得部１０１は、図４に示すステップＳ１１からＳ１７までの処理を行うことで、自端末が有する表示面の寸法を示すデータ（すなわち携帯端末１０の寸法情報）と、他の表示装置が有する表示面の寸法を示すデータ（すなわち携帯端末２０、３０及び４０の各寸法情報）とを取得するという、取得手段（第１取得手段）として機能するものである。第１取得部１０１は、取得したこれらのデータを、算出部１０２に供給する。
【００５７】
算出部１０２は、図４に示すステップＳ１８の処理を行うことで、自端末及び他の携帯端末を並べることにより複数の表示面（表示面１０１、２０１、３０１及び４０１）の全体で形成される領域（例えば図６に示す仮想表示領域５０１ｘ）に所定の形の定形画像（例えば定形画像Ｇ１）を表示させた場合に、第１取得部１０１が取得したデータにより示される寸法及び定形画像の寸法を用いて、上述した領域割合及び画像割合を算出する算出手段である。算出部１０２は、これらの領域割合及び画像割合を、自端末及び他の携帯端末の複数の並べ方（具体的には、図９及び図１０で述べたような複数の並べ方）についてそれぞれ算出する。算出部１０２は、算出した領域割合及び画像割合を示すデータを特定部１０３に供給する。
【００５８】
特定部１０３は、図４に示すステップＳ１９の処理を行うことで、前述した複数の並べ方のうち、上述した最大領域割合が最も大きくなる並べ方と、最大画像割合が最も大きくなる並べ方とを特定するという、特定手段として機能するものである。特定部１０３は、この特定を、算出部１０２が算出した領域割合及び画像割合に基づいて行う。特定部１０３は、特定した並べ方を示すデータを第１表示制御部１０４及び第２表示制御部１０５に供給する。
【００５９】
第１表示制御部１０４は、図４に示すステップＳ２２からＳ２６までの処理を行うことで、定形画像のうち自端末が表示する部分を表示部１３１に表示させ、その定形画像のうち他の携帯端末が表示する部分をそれらの他の携帯端末に表示させるための処理を行うという、第１表示制御手段として機能するものである。第１表示制御部１０４は、この処理を、特定部１０３が特定した並べ方で自端末及び他の携帯端末を並べることで形成される領域（例えば図２に示す表示領域５０１）に定形画像（例えば定形画像Ｇ１０）を表示させる場合に行う。
【００６０】
第２表示制御部１０５は、図４に示すステップＳ２０の処理を行うことで、特定部１０３が特定した並べ方を示す画像（例えば図１２に示す画像Ｈ１）を表示部１３１に表示させるという、第２表示制御手段として機能するものである。なお、第２表示制御部１０５は、この並べ方を示す画像を、表示部１３１に表示させる代わりに、他の携帯端末の表示部に表示させるようにしてもよい。
第２取得部１０６、検知部１０７及び判定部１０８は、本実施形態では用いられないものであるため、図１５では破線で示し、後で説明するものとする。
【００６１】
［変形例］
上述した実施形態は、本発明の実施の一例に過ぎず、以下のように変形させてもよい。また、上述した実施形態及び以下に示す各変形例は、必要に応じて組み合わせて実施してもよい。
【００６２】
（変形例１）
携帯端末１０は、上述した実施形態では、図４に示すステップＳ１９で述べた方法で並べ方を特定したが、これとは異なる方法で並べ方を得してしてもよい。例えば、携帯端末１０は、実施形態のように２つの並べ方をそれぞれ特定するのではなく、どちらか一方の並び方だけを特定するようにしてもよい。この場合、携帯端末１０は、ステップＳ１９において、２つの並び方をそれぞれ特定した２通りの処理を行う代わりに、それらのうちのいずれかの処理を実行する。そして、携帯端末１０は、ステップＳ２０において、前述したいずれかの処理で特定した並べ方を示す画像Ｈ１を表示する一方、画像Ｈ２、Ｈ３及び「表示方法」という文字列を表示しない。そして、携帯端末１０は、例えばこの画像Ｈ１が選択された場合に、ステップＳ１９において特定した並べ方で定形画像を表示させる処理を行う。
【００６３】
（変形例２）
携帯端末１０は、上述した実施形態では、複数の並べ方のうち、画像割合が１となる場合における領域割合の最大値が最も大きくなる並べ方と、領域割合が１となる場合における画像割合の最大値が最も大きくなる並べ方とを特定したが、これとは異なる並べ方を特定してもよい。例えば、携帯端末１０は、複数の並べ方のうち、上述した最大領域割合と、最大画像割合とを乗算した値（以下「割合乗算値」という。）が最も大きくなる並べ方を特定してもよい。例えば、図７に示す例であれば、最大領域割合は、図８の点Ｐ７に示す０．７６であり、最大画像割合は、点Ｐ２に示す０．６４である。つまり、携帯端末１０は、これらを乗算した値である０．７６×０．６４＝０．４９を割合乗算値として算出する。携帯端末１０は、これと同じように他の並べ方についても割合乗算値を算出し、算出した割合乗算値が最大になる並べ方を特定する。
【００６４】
本変形例では、複数の並べ方の中から、領域割合が１となる場合における画像割合の最大値及び画像割合が１となる場合における領域割合の最大値の両方が比較的大きい値となっているものが特定されることになる。このようにして特定された並び方で並べた場合、最大表示画像の面積が比較的大きくなり、且つ、最小欠落画像において欠落している部分の面積が比較的小さくなる。このため、上述した実施形態のように、表示させる定形画像の形及び面積を最大表示画像と同じにするか、最小欠落画像と同じにするかをユーザに選択させる場合に、本変形例によれば、どちらが選択されても、表示される定形画像によりユーザに伝えられる情報量を比較的多くすることができる。
【００６５】
（変形例３）
携帯端末１０は、上述した実施形態では、ステップＳ１９で述べた方法で並べ方を特定したが、これとは異なる方法で並べ方を得してしてもよい。例えば、携帯端末１０は、実施形態では、上記のとおり領域割合の最大値が最も大きくなる並べ方または画像割合の最大値が最も大きくなる並べ方とを特定したが、これらの最大値が最も大きくなるもの以外の並べ方を特定してもよい。例えば、携帯端末１０は、ステップＳ１９において上述したとおり抽出した領域割合及び画像割合を算出する際に用いた仮想表示領域を形成する並べ方のうち、それらの領域割合及び画像割合の最大値が最も大きいものから数えて決められた順番までに含まれるいずれかの並べ方を特定するようにしてもよい。これにより、携帯端末１０は、上記の複数の並べ方の中から、領域割合が１となる場合における画像割合が比較的大きい値となっている並べ方を特定したり、画像割合が１となる場合における領域割合が比較的大きい値となっている並べ方を特定したりすることができる。
【００６６】
また、携帯端末１０は、いずれか１つの並べ方を特定する以外に、決められた数（例えば２つや３つ）の並べ方を特定するようにしてもよい。この場合、携帯端末１０は、特定した複数の並べ方をそれぞれ示す複数の画像をステップＳ２０において表示する。そして、ユーザがそれらの画像の中からいずれか１つを選択することで、携帯端末１０は、選択された画像が示す並べ方で定形画像を表示することをステップＳ２１において決定する。これにより、最大表示画像を表示させる複数の並べ方または最小欠落画像を表示させる複数の並べ方の中から、ユーザに並べ方を選択させることができるようになる。
【００６７】
（変形例４）
携帯端末１０は、ステップＳ１９において並べ方を特定する場合に、上述した変形例１、２及び３で述べた方法を組み合わせて用いてもよい。例えば、携帯端末１０は、実施形態で述べた方法及び変形例２で述べた方法の両方を用いて３つの並べ方を特定し、それらの並べ方のいずれかをユーザに選択させるようにしてもよい。また、携帯端末１０は、それら３つの並べ方を特定する際、上述した画像割合が１となる場合における領域割合の最大値、領域割合が１となる場合における画像割合の最大値及び割合乗算値の最大値が最も大きいものから数えて決められた順番までに含まれるものを選択し、選択した最大値を算出する際に用いた仮想表示領域を形成する並べ方を特定するようにしてもよい。
【００６８】
上述したいずれかの方法で特定された並べ方で各携帯端末が並べられた場合、各表示面が形成する表示領域に表示される定形画像は、画像割合が１となる場合における領域割合の最大値が最も大きい値または比較的大きい値となるようにして表示され、または領域割合が１となる場合における画像割合の最大値が最も大きい値または比較的大きい値となるようにして表示されることになる。これにより、表示領域に定形画像全体が表示される場合であれば、表示される定形画像の面積が最大または比較的大きくなるものが表示されることになり、表示領域全体に定形画像が表示される場合であれば、定形画像のうち欠落している部分の面積が最小または比較的小さくなるものが表示される。表示システム１においては、これらのいずれの場合であっても、表示される定形画像によってユーザに伝えられる情報量を最も多くまたは比較的多くすることができる。要するに、携帯端末１０は、定形画像によってユーザに伝えられる情報量が所定の条件を満たすいずれかの並べ方を特定するものであればよい。ここでいう所定の条件とは、例えば、上記のとおり、ユーザに伝えられる情報量を最も多くまたは比較的多くすることができるときに満たされるものである。
【００６９】
（変形例５）
携帯端末１０は、表示面を囲う枠となる部分の寸法を用いて並べ方を特定してもよい。
図１６は、本変形例における表示システム１ａの構成を示す図である。表示システム１ａは、携帯端末１０ａ及び２０ａを備える。携帯端末１０ａ及び２０ａは、筐体１０２ａ及び２０２ａをそれぞれ有し、これらの筐体の寸法を除いて、携帯端末１０及び２０と共通する構成をそれぞれ有している。図１６では、携帯端末１０ａ及び２０ａは、それぞれの縦方向（表示面の長辺に沿った方向）を上下方向に向けている。表示面１０１は、枠１０３に囲まれており、表示面２０１は、枠２０３に囲まれている。これらの枠１０３及び２０３は、それぞれ筐体１０２ａ及び２０２ａにより形成されている。枠１０３は、表示面１０１の各辺と接する部分における幅がいずれも１ｃｍである。枠２０３は、表示面２０１の右側の辺と接する部分における幅が２ｃｍであり、他の辺に接する部分における幅は１ｃｍである。
【００７０】
図１７は、表示面１０１及び２０１により形成される仮想表示領域及びその仮想表示領域に表示される定形画像の一例を示す図である。携帯端末１０は、各々縦方向を左右方向に向け、上下方向に並べられた表示面１０１及び２０１により形成される仮想表示領域に仮想的に定形画像Ｇ１８を表示している。定形画像Ｇ１８は、画像割合が１である場合において領域割合が最大となる定形画像である。表示面１０１には定形画像Ｇ１８を分割した画像である分割画像Ｆ８１が表示され、表示面２０１には定形画像Ｇ１８を分割した画像である分割画像Ｆ８２が表示されている。
【００７１】
図１８は、分割画像Ｆ８１及びＦ８２をそれぞれ表示する携帯端末の並べ方の例を示す図である。図１８では、各々の縦方向を左右方向に向けて携帯端末１０ａ及び２０ａが並べられている。図１６に示したとおり、携帯端末２０ａの枠２０３は、表示面２０１の左右で寸法が異なっている（１ｃｍと２ｃｍ）。このため、図１７に示すように表示面１０１及び２０１を並べる場合、図１８（ａ）及び（ｂ）に示すように、両表示面の間に枠２０３の寸法が小さい方と大きい方のどちらが配置されるかによって、両表示面の間隔が異なることになる。図１８（ａ）では、両表示面の間に枠２０３の寸法が小さい方が配置され、両表示面の距離が２ｃｍとなっている。図１８（ｂ）では、両表示面の間に枠２０３の寸法が大きい方が配置され、両表示面の距離が３ｃｍとなっている。
【００７２】
携帯端末１０ａは、図４に示すステップＳ１７において寸法情報を取得する際、表示面の寸法を示す寸法情報に加え、枠の寸法を示す寸法情報も取得する。携帯端末１０ａは、この処理を行うにあたり、予め、各種の携帯端末の製品名と、それらの携帯端末が備える表示面及び枠の寸法とを対応付けたテーブルを、記憶部１２０に記憶させておく。
図１９は、記憶部１２０に記憶されているテーブルの一例を示す図である。このテーブルでは、「ａａａ」及び「ｂｂｂ」という「製品名」と、「１、１、１、１」及び「１、１、２、１」という「枠の寸法」とが対応付けられている。これらの「枠の寸法」では、表示面の上側、下側、左側及び右側の辺に接する部分の寸法がそれぞれｃｍ（センチメートル）を単位として示されている。携帯端末１０ａは、例えば、ステップＳ１４において送信されてきたデータが示す製品名である「ｂｂｂ」とこのテーブルにおいて対応付けられている「５×７」という表示面の寸法と「１、１、２、１」という枠の寸法を、携帯端末２０ａの寸法情報として取得する。また、携帯端末１０ａは、記憶部１２０に記憶しているデータが示す自端末の製品名である「ａａａ」とこのテーブルにおいて対応付けられている「４×６」という表示面の寸法と「１、１、１、１」という枠の寸法を、自端末の寸法情報として取得する。
【００７３】
携帯端末１０ａは、制御部１１０がプログラムを実行して各部を制御することで、図１５に破線で示した第２取得部１０６に示す機能を実現する。第２取得部１０６は、本変形例に係るステップＳ１１からＳ１７までの処理を行うことで、自端末が有する枠の寸法を示すデータ（すなわち携帯端末１０ａの寸法情報）と、他の表示装置が有する枠の寸法を示すデータ（すなわち携帯端末２０ａの寸法情報）とを取得するという、取得手段（第２取得手段）として機能するものである。第２取得部１０６は、取得したこれらのデータを、特定部１０３に供給する。
【００７４】
次に、携帯端末１０ａの算出部１０２は、第１取得部１０１が取得した寸法情報が示す表示面の寸法を用いて領域割合及び画像割合を算出し（ステップＳ１８）、算出したこれらの割合と、第２取得部１０６が取得した寸法情報が示す枠の寸法とを用いて並べ方を特定する（ステップＳ１９）。具体的には、携帯端末１０ａは、上述した最大領域割合が等しくなる並べ方が複数通りあった場合に、第２取得部１０６が取得したデータにより示される枠の寸法を用いて、表示面の間にある枠の寸法が小さい方の並べ方を、変形例４で述べた所定の条件を満たす並べ方として特定する。なお、携帯端末１０ａは、前述のように領域割合が最大となる最大表示画像を表示する場合以外に、画像割合が最大となる最小欠落画像を表示する場合に、枠の寸法を用いて上記のとおり並べ方を特定してもよい。この場合、携帯端末１０ａは、上述した最大画像割合が等しくなる並べ方が複数通りあった場合に、第２取得部１０６が取得したデータにより示される枠の寸法を用いて、表示面の間にある枠の寸法が小さい方の並べ方を、所定の条件を満たす並べ方として特定する。
【００７５】
本変形例によれば、各携帯端末を並べたときに各表示面の間の隙間がより小さくなる並べ方を特定することができる。この隙間が小さいほど、各表示面が近づくことになり、それらの表示面に表示されている各分割画像を合わせた定形画像により表される情報が認識されやすくなる。従って、本変形に係る表示システム１ａにおいては、定形画像が表す情報を認識させやすくすることができる。
【００７６】
（変形例６）
携帯端末１０は、上述した最大表示画像、例えば図１４に示すような定形画像Ｇ１６を表示させる場合に、表示領域のうち定形画像が表示されない部分（以下「非表示部分」という。）に他の画像を表示させてもよい。非表示部分とは、図１４（ａ）に示す表示面４０１であれば、表示面４０１のうち、分割画像Ｆ６４が表示されている部分を除いた部分のことである。携帯端末１０は、定形画像として、元々定形画像よりも面積が大きい画像のうちの一部を表示している場合がある。例えば、地図や、表計算ソフトなどの画像である。その場合、携帯端末１０は、それらの画像において定形画像の外側にある部分を、非表示部分に表示させる。これにより、非表示部分を有効に活用することができる。
【００７７】
また、携帯端末１０は、非表示部分に、図１４（ａ）に破線で示した選択画像Ｈ４のような、ユーザにより選択可能な画像を表示させ、その選択画像Ｈ４がユーザにより選択されたときに、上述した最小欠落画像、すなわち図１４（ｂ）に示す定形画像Ｇ１７を表示させるようにしてもよい。これにより、選択画像Ｈ４を表示させない場合に比べて、表示させる画像の切り替えをユーザが容易に行えるようになる。他にも、携帯端末１０は、変形例４で述べたようにステップＳ１９において複数の並べ方を特定した場合に、非表示部分に、それら複数の並べ方のうち選択されなかった並べ方に切り替えるための選択画像を表示させてもよい。これにより、選択画像を表示させない場合に比べて、他の並べ方への切り替えをユーザが容易に行えるようになる。
【００７８】
（変形例７）
携帯端末１０は、上述した実施形態では、定形画像、仮想表示領域及び画像表示領域の面積を用いて領域割合及び画像割合を算出したが、面積以外にも、例えば、これらの画像及び領域の画素数（ドット数ともいう。）を用いてこれらの割合を算出してもよい。この場合、携帯端末１０は、図５に示すテーブルに代えて、「表示面の寸法」を長さの代わりに画素数としたものを記憶部１２０に記憶しておく。次に、ステップＳ１７においてこのテーブルを用いて寸法情報を取得することで、仮想表示領域の画素数を算出する。そして、携帯端末１０は、例えば上下方向と左右方向の画素数の比が４対３となる定形画像を用いて、画像表示領域の画素数を算出し、上記各割合を算出する。以上のとおり、要するに、携帯端末１０は、自端末の表示面の寸法及び他の携帯端末が有する表示面の寸法を示すデータ（寸法情報）を取得して、そのデータが示す寸法を用いて、画像表示領域の仮想表示領域に対する大きさの割合を領域割合として算出し、画像表示領域の定形画像に対する大きさの割合を画像割合として算出するものであればよい。
【００７９】
（変形例８）
携帯端末１０は、分割画像を表示させることが可能な他の携帯端末の台数が変化したときに、図４に示す表示処理を再度行うようにしてもよい。この台数が変化したときとは、例えば、図１４に示すように並べられた各携帯端末のうちのいずれかが携帯電話による通信を開始するなどしてBluetoothによる通信を行うことができなくなったときや、新たな携帯端末が携帯端末１０とBluetoothによる通信を行うことができるようになったときなどである。この場合、携帯端末１０は、制御部１１０がプログラムを実行して各部を制御することで、図１５に破線で示す検知部１０７として機能する。検知部１０７は、Bluetoothによる通信を行うことができる携帯端末の台数を判断する処理を、決められた時間の間隔で実施する。そして、検知部１０７は、この処理を実施して判断した台数を示すデータを第１取得部１０１（及び第２取得部１０６）に供給する。このように、検知部１０７は、第１表示制御部１０４により画像を表示させることが可能な他の携帯端末の台数を検知する検知手段として機能する。
【００８０】
第１取得部１０１（及び第２取得部１０６）は、検知部１０７により検知される台数に変化があった場合に、その変化した台数の他の携帯端末が有する表示面の寸法（及び枠の寸法）を示すデータを取得する。以降、算出部１０２及び特定部１０３が図１５で述べた処理をそれぞれ行うことで、検知部１０７により検知された台数の携帯端末と自端末との並べ方が特定される。本変形例によれば、分割画像を表示させることが可能な他の携帯端末の台数が変化したときに、その変化した台数で定形画像を表示させることができる。
【００８１】
（変形例９）
携帯端末は、上述した実施形態及び変形例では、他の携帯端末から製品名を取得し、図５及び図１９に示すテーブルを用いて各表示面の寸法及び各枠の寸法を取得したが、他の手順でこれらの寸法を取得してもよい。他の手順では、例えば、製品名の代わりに型式やモデル名など、各携帯端末を識別可能な名称が用いられてもよいし、予め表示面の寸法及び枠の寸法を各携帯端末が記憶しておいて、各携帯端末がそれらの寸法を親機として機能している携帯端末に通知するようにしてもよい。要するに、表示システムにおいては、親機として機能する携帯端末が表示面の寸法及び枠の寸法をそれぞれ示すデータを取得できるようになっていれば、どのような手順でそれらのデータが取得されるようになっていてもよい。
【００８２】
（変形例１０）
携帯端末１０は、コンテンツの種類に応じて異なる形をした定形画像を表示させてもよい。例えば、携帯端末１０は、コンテンツの種類がＨＤ（High Definition：高精細度）画質の写真及び動画であれば、上下方向と左右方向の長さの比が９対１６である定形画像を表示させ、コンテンツの種類がスマートフォンのメールであれば、メール用のプログラムが表示する画像における前述の比（例えば３対２）である定形画像を表示させる。つまり、本変形例では、定形画像の形は、その定形画像によって表されるコンテンツの種類によって決まっている。この場合、携帯端末１０は、制御部１１０がプログラムを実行して各部を制御することで、図１５に破線で示す判定部１０８として機能する。判定部１０８は、定形画像によって表わされるコンテンツの種類を判定する判定手段として機能する。
【００８３】
判定部１０８は、例えば、図４に示すステップＳ２２において分割する定形画像を示すデータをどのように取得したかによってコンテンツの種類を判定する。例えば、携帯端末１０は、自端末が有する各プログラムと、それらのプログラム毎に予め決められたコンテンツの種類とを対応付けて記憶部１２０に記憶しておく。そして、携帯端末１０は、それらのプログラムのうちのいずれかを実行したときに表示される画像を定形画像として表示させる場合に、記憶部１２０を参照し、実行したプログラムに対応付けられているコンテンツの種類を、定形画像によって表されるコンテンツの種類として判定する。
【００８４】
また、定形画像を示すデータの元となる動画及び画像のファイルには、その動画及び画像のアスペクト比を示す情報が含まれている場合がある。その場合、判定部１０８は、それらのファイルを参照して得たアスペクト比（すなわち定形画像の形）に対応するコンテンツの種類を、定形画像によって表されるコンテンツの種類として判定する。判定部１０８は、判定した結果（コンテンツの種類）を示すデータを算出部１０２に供給する。以降、算出部１０２及び特定部１０３が図１５で述べた処理をそれぞれ行うことで、判定部１０８により判定されたコンテンツの種類に応じた形の定形画像を表示させるときの並べ方が特定される。本変形例によれば、コンテンツの種類に応じた形の定形画像を表示させることができる。
【００８５】
（変形例１１）
携帯端末１０は、自端末が表示面１０１に表示する画像であれば、どのような画像を表示領域５０１に表示させてもよい。例えば、携帯端末１０は、放送局から送信されてきた放送波を受信して、その放送波が表す番組を示す定形画像を表示させてもよい。携帯端末１０は、図３において破線で示した第３通信部１７０を用いて放送波を受信する。第３通信部１７０は、放送波を受信するアンテナとそのアンテナに接続するチューナとを有し、各放送局から送信される放送波を受信してその放送波から番組の音声、映像及び文字を表すデータを復調する。携帯端末１０は、図４に示すステップＳ２２において、このデータが表す映像及び文字によって示される画像を分割して分割画像データを生成し、生成した分割画像データを各携帯端末に送信することで、その映像及び文字を表示領域に表示させる。また、携帯端末１０は、復調した音声を表すデータに基づき、その音声を音声入出力部１４０から出力する。なお、携帯端末１０は、音声を表すデータも、他の携帯端末に送信して、その携帯端末から出力させるようにしてもよい。
【００８６】
（変形例１２）
表示システム１においては、上述した実施形態のように親機である携帯端末１０が分割画像データを生成する代わりに、各携帯端末が分割画像データをそれぞれ生成するようにしてもよい。この場合、携帯端末１０は、表示する定形画像を示す画像データの取得先を示す取得先データと、定形画像のうち各携帯端末が表示する部分の領域を示す領域データとを送信する。この取得先データとは、例えば、或るＷｅｂサイトを表示する場合であれば、そのＷｅｂサイトのＵＲＬ（Uniform Resource Locator）を示すデータであり、上記変形例のように或る番組を表示する場合であれば、その番組のチャンネル番号を示すデータである。また、領域データとは、例えば、定形画像の左上を原点とした上下方向及び左右方向を２つの軸とする座標系を予め定めておいた場合における、その領域の左上の座標と右下の座標とを示すデータである。この場合、他の携帯端末は、まず、携帯端末１０から送信されてきた取得先データが示す取得先から画像データを取得する。次に、それらの他の携帯端末は、取得した画像データが示す定形画像のうち、この取得先データとともに送信されてきた領域データが示す座標により表される長方形に囲まれた部分、すなわち自端末が表示する分割画像を各々の表示面に表示する。要するに、携帯端末１０は、定形画像のうち自装置が表示する部分を表示部１３１に表示させ、定形画像のうち他の携帯端末が表示する部分をそれらの他の携帯端末に表示させるための処理を行うようになっていればよい。
【００８７】
（変形例１３）
表示システムが備える携帯端末の台数は、上述した実施形態や変形例で示したもの（４台及び２台）に限らない。この台数は、３台でもよいし、５台以上であってもよい。また、表示システムが備える各携帯端末の表示面は、上述した実施形態や変形例では、各々寸法が異なっていたが、寸法が同じものがあってもよいし、全て同じであってもよい。いずれの場合も、表示システムは、親機として機能する携帯端末、すなわち、携帯端末１０のように図１５に示す各機能を実現する携帯端末を備えていればよい。
【００８８】
（変形例１４）
本発明は、表示システム１及び１ａのような表示システムの他にも、携帯端末１０のように表示面に画像を表示する表示手段を備える表示装置や、その表示装置が実施する処理を実現するための方法としても把握されるものである。ここでいう処理とは、例えば、図４に示す手順において携帯端末１０が実施する処理であり、図１５に示す各機能が実施する処理である。また、本発明は、前述した表示装置（例えば携帯端末１０）のように、表示面に画像を表示する表示手段を備えるコンピュータを、図１５に示す各手段として機能させるためのプログラムとしても把握されるものである。かかるプログラムは、これを記憶させた光ディスク等の記録媒体の形態で提供されたり、インターネット等のネットワークを介して、コンピュータにダウンロードさせ、これをインストールして利用可能にするなどの形態でも提供されたりするものであってもよい。
【符号の説明】
【００８９】
１…表示システム、１０、２０、３０、４０…携帯端末、１０１、２０１、３０１、４０１…表示面、１０２、２０２、３０２、４０２…筐体、５０１…表示領域、１１０…制御部、１２０…記憶部、１３０…タッチスクリーン部、１３１…表示部、１３２…タッチセンサ、１４０…音声入出力部、１５０…第１通信部、１６０…第２通信部、１７０…第３通信部、１０１…第１取得部、１０２…算出部、１０３…特定部、１０４…第１表示制御部、１０５…第２表示制御部、１０６…第２取得部、１０７…検知部、１０８…判定部
【図１】
0005770131.tif 000002
【図２】
0005770131.tif 000003
【図３】
0005770131.tif 000004
【図４】
0005770131.tif 000005
【図５】
0005770131.tif 000006
【図６】
0005770131.tif 000007
【図７】
0005770131.tif 000008
【図８】
0005770131.tif 000009
【図９】
0005770131.tif 000010
【図１０】
0005770131.tif 000011
【図１１】
0005770131.tif 000012
【図１２】
0005770131.tif 000013
【図１３】
0005770131.tif 000014
【図１４】
0005770131.tif 000015
【図１５】
0005770131.tif 000016
【図１６】
0005770131.tif 000017
【図１７】
0005770131.tif 000018
【図１８】
0005770131.tif 000019
【図１９】
0005770131.tif 000020